Podtech/llm-jp-corpus-v4-ja_patent huggingface dataset:
【手続補正書】
【提出日】平成18年12月7日(2006.12.7)
【手続補正１】
【補正対象書類名】明細書
【補正対象項目名】特許請求の範囲
【補正方法】変更
【補正の内容】
【特許請求の範囲】
【請求項１】  第１電源ノードと第１ノードの間に結合され、少なくとも１つの制御端子を有する第１可変インピーダンス装置と、
第１電源ノードと第２ノードの間に結合され、少なくとも１つの制御端子を有する第２可変インピーダンス装置と、
第２ノードと接地の間に結合された抵抗経路と、
入力端子および少なくとも１つの出力端子を有するインピーダンス制御回路とから構成され、
上記インピーダンス制御回路の入力端子は、第２ノードに結合され、少なくとも１つの出力端子は、第１および第２可変インピーダンス装置の対応する制御端子に結合されており、更に上記インピーダンス制御回路は、少なくとも２つの入力端子を有するコンパレータと、コンパレータ入力端子の第１端子に結合された第１分圧器と、コンパレータの出力端子に結合された状態機械とを備える回路。
【請求項２】  内部に配置された複数の出力ドライバを有する少なくとも１つの集積回路と、
少なくとも１つの集積回路に外付けされ、それぞれ出力装置に結合された複数の電気導体と、
それぞれ複数の電気導体に結合された複数の可変インピーダンス成端装置を有し、各可変インピーダンス成端装置が、制御入力を有する集積回路と、
複数の可変インピーダンス成端装置の制御入力端子に結合された出力端子を有するインピーダンス制御回路とから構成され、上記インピーダンス制御回路は、少なくとも２つの入力端子を有するコンパレータと、コンパレータ入力端子の第１端子に結合された第１分圧器と、コンパレータの出力端子に結合された状態機械とを備える装置。
【請求項３】  複数のオープン・ドレイン・ドライバを有する第１集積回路と、
複数のオープン・ドレイン・ドライバに結合された複数のバス線と、
複数のバス線に結合された複数の受信器回路を有する複数のインピーダンス制御成端装置とを有する第２集積回路と、
を備え、少なくとも１つのインピーダンス制御成端装置が各バス線に結合され、また、少くとも１つのインピーダンス制御成端装置は少くとも１つのインピーダンス制御回路に接続しており、上記インピーダンス制御回路は、
少なくとも２つの入力端子を有するコンパレータと、
コンパレータ入力端子の第１端子に結合された第１分圧器と、
コンパレータの出力端子に結合された状態機械とから構成される装置。
【請求項４】  第１集積回路に外付けされた抵抗経路の値に少なくとも部分的に基づいて、第１集積回路の複数の可変インピーダンス成端装置のインピーダンスを調節し、
温度、製作公差、および電源電圧の変動に少なくとも部分的に基づいて、第１集積回路の複数の可変インピーダンス成端装置のインピーダンスを調節することとを備える伝送線に成端を形成する方法。
【請求項５】  抵抗経路の少くとも一部の抵抗値に基いた基準インピーダンス成端装置のインピーダンスの増減を示す少くとも１つの制御信号を発生するように、第１集積回路上で状態機械を作動させるステップと、
第１集積回路の複数の可変インピーダンス成端装置のインピーダンスを調節するステップとを備える伝送線に成端を形成する方法。
【請求項６】  第１集積回路に外付けされた抵抗経路の少くとも一部の抵抗値に基いた基準インピーダンス成端装置のインピーダンスの増減を示す少くとも１つの制御信号を発生するように、第１集積回路上で状態機械を作動させるステップと、
第１集積回路の複数の可変インピーダンス成端装置のインピーダンスを調節するステップと、
バスを介して、第２集積回路から第１集積回路に情報を伝送するステップとから構成されたことを特徴とするバスによって結合された少なくとも２つの集積回路の間で情報を通信する方法。
【手続補正書】
【提出日】平成18年11月30日(2006.11.30)
【手続補正１】
【補正対象書類名】明細書
【補正対象項目名】特許請求の範囲
【補正方法】変更
【補正の内容】
【特許請求の範囲】
【請求項１】
個々のセルが共通電極を共用するものである少なくとも１つのセルを有する静電作動器アレイであって、
第１及び第２の電極であって、ある距離だけ離間されており、その間に電位を伝えるための可動ダイアフラムを有し、対となっている前記電極の少なくとも一方は他方に対して可動であり、対となっている前記電極へ取り付けられる電極により電位を印加されたときに動きを行うように配置される、第１及び第２の電極と、
前記動きを行わせるために前記電極に対して電位を選択的に与える電圧源であって、１つの直流電源から発生される交互の極性の電界を発生する電圧源と
を備える静電作動器アレイ。
【請求項２】
一対の作動器プレートと駆動手段とを有するタッチモード静電作動器であって、前記一対の作動器プレートは電位を伝える電極を有し、前記一対の作動器プレートの少なくとも一方は他方に対して可動であり、前記一対の作動器プレートは、該一対の作動器プレートへ取り付けられる電極により電位を印加されたときに動きを行うように配置されるものであり、前記駆動手段は、前記動きを行わせるために前記電極に対して電位を与えるものである、前記タッチモード静電作動器において提供される駆動手段であって、
前記動きを行わせるために前記電極に対して電位を選択的に与えるためのものであり、１つの直流電源から発生される交互の極性の電界を発生するものである
駆動手段。
【請求項３】
一対の作動器プレートを有するタッチモード静電作動器を駆動する方法であって、前記一対の作動器プレートは電位を伝える電極を有し、前記一対の作動器プレートの少なくとも一方は他方に対して可動であり、前記一対の作動器プレートは、該一対の作動器プレートへ取り付けられる電極により電位を印加されたときに動きを行うように配置されるものである、前記タッチモード静電作動器を駆動する方法において、
前記動きを行わせるために前記電極に対して電位を選択的に与える電圧源を提供する工程を備え、前記駆動手段は、１つの直流電源から発生される交互の極性の電界を発生するものである、
方法。
【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
電動機と、
直流電力を発生する原動機と、
直流電力を電動機運転中に電動機に供給される交流電力に変換するインバータと、  
前記電動機の始動時に前記交流電力の電流を段階的に増加させ且つ該交流電力の周波数を段階的に増加させるようにインバータを制御する制御器と、
を備え、
前記電流を段階的に増加させた後に前記周波数を段階的に増加させ、該周波数が段階的に増加されて突入電流を減少させる、システム
【請求項２】
制御器は電動機始動中はインバータに交流電力の周波数を増加させて請求項１のシステム。
【請求項３】
制御器がインバータにプロセス要求に応じて周波数を変化させる請求項１のシステム。
【請求項４】
制御器はインバータにプロセス要求に応じて交流電力の電流を変化させる請求項１のシステム。
【請求項５】
原動機は、気体熱エネルギーを機械的エネルギーに変換するタービンを含むマイクロタービン発電機と、タービンによって発生させた機械的エネルギーを電気エネルギーに変換する発電機と、発電機の出力に結合して直流電力としての出力を提供する整流器とを含む請求項１のシステム。
【請求項６】
請求項１又は５に記載のシステムであって、
直流連結と、
前記直流連結と前記原動機との間に結合され、該原動機からの交流電力を直流電力に変換し該直流電力を前記直流連結に供給する第１の整流器と、
原動機が直流電力を供給し損なった時にバックアップ交流電力を直流電力に変換し該変換された電力を前記直流連結に直接供給する第２の整流器とを含み、
前記インバータが前記直流連結に結合されている、システム。
【請求項７】
制御器はマイクロタービン発電機をも制御する請求項５又は６に記載のシステム。
【手続補正書】
【提出日】平成18年12月19日(2006.12.19)
【手続補正１】
【補正対象書類名】明細書
【補正対象項目名】特許請求の範囲
【補正方法】変更
【補正の内容】
【特許請求の範囲】
【請求項１】  第１ピクセル信号を受信するステップと、
前記第１ピクセル信号を表す第１セットのビットを生成するステップと、
第２ピクセル信号を受信するステップと、
前記第１セットのビットをラッチするステップと、
前記第２ピクセル信号と前記ラッチされたビットから発生した信号とを比較し、前記第２ピクセル信号が前記第１ピクセル信号より大きいか否かを決定するステップと、および
前記ラッチされたビットを初期値として使用することにより、前記第１ピクセル信号と前記第２ピクセル信号との差に基づいて前記第２ピクセル信号を表す第２セットのビットを生成するステップとを含む方法。
【請求項２】  積分器と、
前記積分器に結合された比較器と、
前記比較器に結合されたカウンタと、
前記カウンタに結合された第１ラッチと、
前記カウンタに結合された第２ラッチと、
前記比較器に結合されたデジタル・アナログ変換器とを含む装置。
【請求項３】  センサと、
前記センサに結合されたアナログ・デジタル変換器とを含むイメージ処理システムであって、前記アナログ・デジタル変換器が、
積分器と、
前記積分器に結合された比較器と、
前記比較器に結合されたカウンタと、
前記カウンタに結合された第１ラッチと、
前記カウンタに結合された第２ラッチと、
前記比較器に結合されたデジタル・アナログ変換器とを含むシステム。
【手続補正書】
【提出日】平成18年12月22日(2006.12.22)
【手続補正１】
【補正対象書類名】明細書
【補正対象項目名】発明の名称
【補正方法】変更
【補正の内容】
【発明の名称】電子メッセージにプログラム情報を組み込むための方法
【手続補正２】
【補正対象書類名】明細書
【補正対象項目名】特許請求の範囲
【補正方法】変更
【補正の内容】
【特許請求の範囲】
【請求項１】  プログラム情報を電子メッセージに組み込むための方法であって、
表示装置上にプログラム識別子を表示することによってプログラムのメニューを生成するステップと、
注目するプログラムに関連している前記表示されたプログラム識別子のうちの少なくとも１つを選択するステップと、
電子メッセージ表示内に前記選択されたプログラム識別子に関連するデータを加えるためのコマンドに応答して、該電子メッセージ表示のメッセージ部分に自動的に組み込まれた、前記注目するプログラムに関連したプログラムテキストを伴った電子メッセージ表示を生成するステップと、
前記メッセージ部分を、該メッセージ部分に組み込まれている前記プログラムテキストとともに受信者に対して電子メッセージによって送出するステップと
を含むことを特徴とする方法。
【手続補正３】
【補正対象書類名】明細書
【補正対象項目名】０００１
【補正方法】変更
【補正の内容】
【０００１】
（発明の分野）
本発明は、一般に電子メッセージにプログラム情報を組み込み、電子メッセージによってこの種のプログラム情報を受け取り、および／または受け取ったプログラム情報に基づいて、対応するプログラムを実行する方法に関する。
【手続補正４】
【補正対象書類名】図面
【補正対象項目名】図４
【補正方法】変更
【補正の内容】
【図４】
2002534917.tif 000001
【手続補正書】
【提出日】平成18年12月21日(2006.12.21)
【手続補正１】
【補正対象書類名】明細書
【補正対象項目名】特許請求の範囲
【補正方法】変更
【補正の内容】
【特許請求の範囲】
【請求項１】  タンパク質をコードする相同核酸を組換える方法であって、該方法は、
ａ）重複しているファミリー遺伝子シャッフリングオリゴヌクレオチドのセットを合成する工程であって、各オリゴヌクレオチドは、選択された相同核酸セットのうちの少なくとも１つのメンバーに対して配列同一性領域を有し、該選択された相同核酸セットのうちの別のメンバーに対応するオリゴヌクレオチドが、非等モル量で存在する、工程；
ｂ）該ファミリー遺伝子シャッフリングオリゴヌクレオチドのセットをハイブリダイズする工程；
ｃ）該ファミリー遺伝子シャッフリングオリゴヌクレオチドのセットを伸長することにより、組み換えた核酸の集団を提供する工程；
ｄ）該組み換えた核酸の集団を変性させることにより、変性した組換え核酸を提供する工程；
ｅ）該変性した組換え核酸を再アニーリングする工程；
ｆ）得られた再アニーリングした組換え核酸を伸長させる工程；および、
ｇ）所望される特性について該得られた組換え核酸のうちの１つ以上を選択する工程、
を包含する、方法。
【請求項２】  請求項１に記載の方法であって、
ｈ）前記得られた選択された組換え核酸を組換え、そして得られた複数回選択され複数回組換えられた核酸を、所望される形質または特性について選択する工程、
をさらに包含する、方法。
【請求項３】  請求項１に記載の方法であって、前記ファミリー遺伝子シャッフリングオリゴヌクレオチドのセットは、複数の相同標的核酸に由来するコンセンサス領域のサブ領域を含む複数のオリゴヌクレオチドメンバー型を含む、方法。
【請求項４】  請求項１に記載の方法であって、前記ファミリー遺伝子シャッフリングオリゴヌクレオチドのセットは、複数のコドン改変オリゴヌクレオチドを含む、方法。
【請求項５】  請求項１に記載の方法であって、前記複数のオリゴヌクレオチドメンバー型を含むファミリー遺伝子シャッフリングオリゴヌクレオチドのセットは、少なくとも３つのメンバー型を含む、方法。
【請求項６】  請求項１に記載の方法であって、前記複数のオリゴヌクレオチドメンバー型を含むファミリー遺伝子シャッフリングオリゴヌクレオチドのセットは、少なくとも５つのメンバー型を含む、方法。
【請求項７】  請求項１に記載の方法であって、前記複数のオリゴヌクレオチドメンバー型を含むファミリー遺伝子シャッフリングオリゴヌクレオチドのセットは、少なくとも１０のメンバー型を含む、方法。
【請求項８】  請求項１に記載の方法であって、前記オリゴヌクレオチドは、集合的に、前記相同核酸の各々の全長に対応する、方法。
【請求項９】  請求項１〜８のうちのいずれか１項に記載の方法であって、前記核酸は、治療的タンパク質をコードする、方法。
【手続補正書】
【提出日】平成19年1月12日(2007.1.12)
【手続補正１】
【補正対象書類名】明細書
【補正対象項目名】特許請求の範囲
【補正方法】変更
【補正の内容】
【特許請求の範囲】
【請求項１】少なくとも1つのVIII族非貴金属および少なくとも2つのVIB族金属を含むサルファイド化バルク触媒粒子を含む触媒組成物を製造する方法であって、
(i)溶液中の少なくとも1つのVIII族非貴金属成分と溶液中の少なくとも2つのVIB族金属成分とを組合せて反応混合物とし、そして反応させて、酸素に対して安定な沈殿を得る工程と、
(ii)その沈殿をサルファイド化する工程
を含む方法。
【請求項２】沈殿がpHの変化で起こる請求項1記載の方法。
【請求項３】温度が上昇すると分解してpHを変化させる化合物が反応混合物中にあることによりpHの変化が起こる、請求項２記載の方法。
【請求項４】VIII族非貴金属がコバルト、ニッケル、鉄、またはこれらの混合物を含む、請求項１〜３のいずれか１項記載の方法。
【請求項５】ニッケル及びコバルトが、酸化物として計算して、VIII族非貴金属成分の合計の少なくとも５０重量％、好ましくは少なくとも７０重量％、より好ましくは少なくとも９０重量％を成す請求項４記載の方法。
【請求項６】VIB金属がクロム、モリブデン、タングステンの少なくとも2つを含む、請求項１〜５のいずれか１項記載の方法。
【請求項７】モリブデン及びタングステンが、三酸化物として計算して、VIB族金属成分の合計の少なくとも５０重量％、好ましくは少なくとも７０重量％、より好ましくは少なくとも９０重量％を成す請求項６記載の方法。
【請求項８】バインダー物質、クラッキング成分、慣用のハイドロプロセッシング触媒、またはこれらの混合物から選択される物質を工程(i)において反応混合物に加える、請求項１〜７のいずれか１項記載の方法。
【請求項９】
(a)熱処理、乾燥および／または洗浄、
(b)バインダー物質、クラッキング成分、慣用のハイドロプロセッシング触媒、またはこれらの混合物から選択される物質との複合化、
(c)スプレー乾燥、（フラッシュ）乾燥、粉砕、混練、スラリー混合、乾式または湿式混合、又はこれらの組み合わせ
(d)成形
の追加的工程の１つまたはそれ以上をさらに含む、請求項１〜８のいずれか１項記載の方法。
【請求項１０】溶液中の少なくとも１つのVIII族非貴金属成分と溶液中の少なくとも２つのVIB族金属とを組合せて反応混合物とし、そして反応させて、酸素に対して安定な沈殿を得る工程
任意的な乾燥及び／又は洗浄の工程、
バインダー物質、クラッキング成分、慣用のハイドロプロセッシング触媒、またはこれらの混合物から選択される物質と上記沈殿とを複合化する工程、
任意的な成形の工程、
サルファイド化の工程
を順次含む請求項９記載の方法。
【請求項１１】溶液中の少なくとも１つのVIII族非貴金属成分と溶液中の少なくとも２つのVIB族金属とを組合せて反応混合物とし、そして反応させて、酸素に対して安定な沈殿を得る工程、ここでバインダー物質、クラッキング成分、慣用のハイドロプロセッシング触媒、またはこれらの混合物から選択される物質が沈殿の間に存在する、
任意的な乾燥及び／又は洗浄の工程、
任意的な成形の工程、
サルファイド化の工程
を順次含む請求項９記載の方法。
【請求項１２】成形の工程が行われる請求項１０又は１１記載の方法。
【請求項１３】少なくとも１つのVIII族非貴金属成分及び少なくとも２つのVIB金属成分を含むサルファイド化バルク触媒粒子を含み、VIII族非貴金属ジサルファイドを実質的に含まない、請求項１〜１２のいずれか１項記載の方法により得られる触媒組成物。
【請求項１４】VIII族非貴金属が、（VIII族非貴金属）ｙＳｘとして存在し、ｘ／ｙが０．５〜１．５である請求項１３記載の触媒組成物。
【請求項１５】少なくとも１つのVIII族非貴金属成分および少なくとも２つのVIB金属成分を含み、使用条件下におけるサルファイド化度が90%を超えないサルファイド化バルク触媒粒子を含む請求項１３又は１４記載の触媒組成物。
【請求項１６】請求項１３〜１５のいずれか１項記載の触媒組成物を炭化水素供給原料のハイドロプロセッシングのために用いる方法。
【手続補正書】
【提出日】平成19年1月11日(2007.1.11)
【手続補正１】
【補正対象書類名】明細書
【補正対象項目名】特許請求の範囲
【補正方法】変更
【補正の内容】
【特許請求の範囲】
【請求項１】  組立エレメントを相互接続するための連結手段を有する前記組立エレメントを備える玩具組立セットであって、
エネルギー源(１０)と、
エネルギーを蓄積するとともに、蓄積されたエネルギーを放出するエネルギー蓄積体(２０)と、
エネルギーの消費体(３０)と、
を具備しており、
エネルギー源(１０)、エネルギー蓄積体(２０)及び消費体(３０)は、組立セットの組立エレメントと分離可能に相互接続ならしめる結合手段を備える別体であって、
エネルギー蓄積体(２０)は、エネルギー源(１０)に選択的に連結され得ることによって、エネルギー源(１０)からのエネルギーが、エネルギー蓄積体(２０)に伝えられるとともに蓄積され、
エネルギー蓄積体(２０)は、エネルギー源(１０)から解放されて消費体(３０)に選択的に相互接続可能であって、エネルギー蓄積体(２０)に蓄積されているエネルギーが消費体(３０)に供給されることにより、エネルギーがエネルギー蓄積体（２０）から放出されるとともに消費体（３０）に伝えられる、
玩具組立セット。
【請求項２】  エネルギー源(１０)が、電気エネルギー源であり、エネルギー蓄積体(２０)が、エネルギーを電気エネルギーとして蓄積する電気コンデンサー(２１)であり、消費体(３０)が、電気エネルギーの消費体であることを特徴とする請求項１の玩具組立セット。
【請求項３】  エネルギー源(１０)が、機械エネルギーを電気エネルギーに変換する電気機械式発生器(１４)を備えていることを特徴とする請求項２の玩具組立セット。
【請求項４】  発生器が、発生器(１４)の手動操作用のクランク(１２)を有していることを特徴とする請求項３の玩具組立セット。
【請求項５】  発生器が、風力によって発生器(１４)を作動させるためのフライホイール(１２)を有していることを特徴とする請求項３の玩具組立セット。
【請求項６】  発生器が、水力によって発生器(１４)を作動させるためのフライホイール(１２)を有していることを特徴とする請求項３の玩具組立セット。
【請求項７】  エネルギー源が、電磁エネルギーを電気エネルギーに変換する装置を備えていることを特徴とする請求項２の玩具組立セット。
【請求項８】  エネルギー源(１０)が、機械エネルギー源であり、エネルギー蓄積体(２０)が、エネルギーを機械エネルギーとして蓄積し、消費体(３０)が、機械エネルギーの消費体であることを特徴とする請求項１の玩具組立セット。
【請求項９】  エネルギー蓄積体(２０)が、機械エネルギーを蓄積するために引っ張られ得るばねを備えていることを特徴とする請求項８の玩具組立セット。
【請求項１０】  エネルギー蓄積体(２０)が、機械エネルギーを蓄積するために重力に抗して持ち上げられ得る質量体を備えていることを特徴とする請求項８の玩具組立セット。
【手続補正書】
【提出日】平成19年1月11日(2007.1.11)
【手続補正１】
【補正対象書類名】明細書
【補正対象項目名】特許請求の範囲
【補正方法】変更
【補正の内容】
【特許請求の範囲】
【請求項１】  第１タイプの箱形の組立エレメント（１５，１７）と、接続エレメント（２０）とを具備する玩具組立セットであって、
第１タイプの箱形の組立エレメント（１５，１７）は、第１の方向に、第１基準寸法（Ｌ）の第１の整数倍である第１の寸法を有しており、第１の方向に直交する第２の方向に、第１基準寸法（Ｌ）の第２の整数倍である第２の寸法を有しており、第１の方向に直交し且つ第２の方向に直交する第３の方向に、第１基準寸法（Ｌ）よりも大きく且つ第１基準寸法（Ｌ）の２倍よりも小さい第３の寸法（Ｈ）を有しており、第１タイプの組立エレメントは、第１の方向及び第２の方向に延在する外面を具えた頂壁部を有しており、頂壁部は、突き出ている連結スタッド（１０，１６）を有しており、第１タイプの組立エレメントは、さらに、もう一つの組立エレメントの連結スタッドを取り外し可能な係合状態で受けるために頂壁部の反対側に開口部を具えた連結空洞部を画成する４つの側壁部を有しており、
接続エレメント（２０）は、一対の両端ほぞを具えており、ほぞは、その自由端部において柔軟であると共に凸縁部（２３）を有しており、接続エレメントは、第１基準寸法（Ｌ）の２倍に対応する長さを有すると共に、両端ほぞの間に、所定長さとほぞよりも大きな直径とを有するフランジ（２１）を有しており、
第１タイプの組立エレメントの少なくとも二つは、１に等しい第１の整数を有すると共に、第１の方向に直交する二つの両外面と、二つの両外面の間に延在した少なくとも一つのチューブ状開口部（１８）とを有しており、チューブ状開口部は、フランジの直径よりも小さな直径を有しており、二つの両外面は、チューブ状開口部のそれぞれの端部において、フランジ（２１）よりも大きな直径とフランジ（２１）の所定長さの半分に対応する深さの凹部（１９）を有しており、チューブ状開口部は、接続エレメントのフランジが一方の外面の凹部に座して、ほぞの凸縁部が他方の外面の凹部にスナップ式係合をした状態で接続エレメントのほぞを受けることができる寸法にされている玩具組立セットにおいて、
玩具組立セットは、
第１の整数及び第２の整数が両方とも２以上であり、頂壁部が、正方形状に配置された少なくとも４つの連結スタッドと、チューブ状開口部（３４）を具えたチューブ状連結エレメント（３３）とを有しており、チューブ状連結エレメントが頂壁部から連結空洞部内へ延在し且つ正方形状の中央に配されており、頂壁部が、チューブ状連結エレメント内に通じる開口部と、チューブ状連結エレメント内に通じる開口部において、フランジ（２１）よりも大きな直径とフランジの所定長さの半分に対応する深さの凹部（３８）とを有しており、チューブ状連結エレメントは、頂壁部と反対の側に、連結空洞部の開口部からフランジの所定長さの半分に対応する距離だけ離れて位置する自由端部（３５）を有しており、チューブ状連結エレメント（３３）内のチューブ状開口部（３４）が、凹部（３８）と自由端部（３５）との間において、両端部が第１縁部（４０）と第２縁部（４２）とを画成すると共に直径が小さい中央セクション（３７）を有している第１タイプの組立セットを具備しており、
チューブ状連結エレメント（３３）内のチューブ状開口部（３４）は、接続エレメントのフランジ（２１）がチューブ状接続エレメント（３３）の自由端部（３５）に座して、ほぞの凸縁部（２３）が中央セクション（３７）の第１縁部（４０）にスナップ式係合をした状態で接続エレメントのほぞを受けることができる寸法にされており、チューブ状連結エレメント（３３）内のチューブ状開口部（３４）は、接続エレメントのフランジ（２１）が頂壁部の凹部（３８）に座して、ほぞの凸縁部（２３）が中央セクション（３７）の第２縁部（４２）にスナップ式係合をした状態で接続エレメントのほぞを受けることができる寸法にされていることを特徴とする玩具組立セット。
【手続補正書】
【提出日】平成19年1月12日(2007.1.12)
【手続補正１】
【補正対象書類名】明細書
【補正対象項目名】特許請求の範囲
【補正方法】変更
【補正の内容】
【特許請求の範囲】
【請求項１】  第１血管と第２血管との間に実質的に縫合糸なしの吻合を形成するための方法であって、該第２血管が少なくとも部分的に閉塞された管腔を有しており、該方法は、以下の工程：
（ａ）管腔を有する第１血管を提供する工程であって、該第１血管は、少なくとも部分的に閉塞された管腔を有する第２血管に結合されるように寸法決めおよび構成される、工程；
（ｂ）該閉塞の下流に、該第１血管および該第２血管の該管腔を流体連絡して配置するように、該第２血管の管腔に隣接する該第１血管の少なくとも一部を配置する工程；ならびに
（ｃ）該第１血管と第２血管との間に実質的に縫合糸なしの吻合を形成するために縫合糸を使用せずに、該第２血管の管腔に関して所定の位置に該第１血管を固定する、工程、
を包含する、方法。
【手続補正書】
【提出日】平成19年1月12日(2007.1.12)
【手続補正１】
【補正対象書類名】明細書
【補正対象項目名】特許請求の範囲
【補正方法】変更
【補正の内容】
【特許請求の範囲】  
【請求項１】  バイパス手順を実施するためのデバイスであって、ここで、縫合糸なしの吻合は、移植血管と冠状動脈との間に形成され、そしてここで、該移植血管は、血液を含む心臓チャンバと連絡して配置されて、該心臓チャンバから該冠状動脈まで血液を送達し、該デバイスは、以下：
ステント移植片アセンブリであって、該ステント移植片アセンブリは、収縮配向と拡張配向との間を移動可能なステント、および管腔を有する移植血管を備え、ここで、該ステントは該移植血管に取り付けられ、該移植血管の管腔は、該ステントと流体連絡している、ステント移植片アセンブリ；ならびに
一旦、該ステントが、冠状動脈の管腔内に少なくとも部分的に配置されると、該ステントを該拡張配向まで拡張させるための拡張メカニズム、を備え、
ここで、該ステントおよび移植血管が、該冠状動脈の管腔内に配置するために収縮され、次いで、拡張されて、該ステントが該冠状動脈壁と係合するように寸法決めおよび構成され、該ステント移植片アセンブリを、縫合糸なしで、該冠状動脈に吻合する、デバイス。
【手続補正書】
【提出日】平成19年1月11日(2007.1.11)
【手続補正１】
【補正対象書類名】明細書
【補正対象項目名】請求項３
【補正方法】変更
【補正の内容】
【請求項３】  前記拘束手段は、機械的、気圧的、液圧的または電気的に作動することを特徴とする請求項２に記載の装置。
【手続補正書】
【提出日】平成19年1月5日(2007.1.5)
【手続補正１】
【補正対象書類名】明細書
【補正対象項目名】特許請求の範囲
【補正方法】変更
【補正の内容】
【特許請求の範囲】
【請求項１】
哺乳動物被験体における脈管系において病変を含む標的細胞を破壊または損傷させるための、光感作性薬剤を含む組成物であって、以下の工程を含む方法に使用される組成物；
治療的に有用な量の光感作性薬剤を該被験体に投与する工程であって、ここで、該光感作性薬剤は選択的に病変の標的細胞に結合する、工程；
被験体の少なくとも一部を、該光感作性薬剤によって吸収される波長の光を用いて照射する工程であって、ここで、該光が、該被験体のインタクトな身体に対して外部にある光源によって提供され；そしてここで、該照射が、該光感作性薬剤またはそのプロドラッグ生成物の活性化を生じる相対的に低い流量比である、工程、
ここで、該光感作性薬剤は、該照射の前に該被験体の皮膚および皮下組織から除去される。
【請求項２】
哺乳動物被験体における動脈脈管系において病変を含む標的細胞を破壊または損傷させるための、（ａ）抗体または抗体フラグメントに結合されたリガンド−レセプター結合対の第１のメンバーを含む第１の結合体、および（ｂ）光感作性薬剤または光感作性薬剤送達系またはプロドラッグに結合されたリガンド−レセプター結合対の第２のメンバーを含む第２の結合体、を含む組成物であって、以下の工程を含む方法に使用される組成物；
該第１の結合体の治療的に有用な量を被験体に投与する工程であって、ここで、該抗体または抗体フラグメントが、選択的に標的細胞または標的組織抗原に結合する、工程；
該第２の結合体の治療的に有用な量を被験体に投与する工程であって、ここで、該リガンド−レセプター結合対の該第１のメンバーが該第２のメンバーに結合する、工程；
該光感作性薬剤によって吸収される波長の光を用いて該被験体の少なくとも一部を照射する工程であって、ここで、該光が、該被験体に対して外部にある光源によって提供され；そしてここで、該照射が、該光感作性薬剤またはプロドラッグ生成物の活性化を生じる相対的に低い流量比である、工程。
【請求項３】
請求項１または請求項２に記載の組成物であって、ここで、前記光源が、以下：レーザーダイオード、ファイバーレーザー、ＬＥＤ、非レーザー光源、冷陰極蛍光チューブ、白熱光、ハロゲン光、高分子発光デバイス、他の型の蛍光、放電ランプ、および他のエレクトロルミネセンスデバイスのうちの１つまたは複数からなる群より選択される、組成物。
【請求項４】
前記光が、皮膚を通して病変を有する脈管壁に対して平行かつ長手の方向に向けられる、請求項１または請求項２に記載の組成物。
【請求項５】
前記レーザーダイオードが、光ファイバーに結合され、そしてここで、該光ファイバーが、病変を有する脈管壁に対して長手の方向に前記光を向ける、請求項３に記載の組成物。
【請求項６】
前記発光ダイオードが、発光ダイオードストリップであり、そしてここで、該発光ダイオードストリップが、前記病変の上にある皮膚上に配置される、請求項３に記載の組成物。
【請求項７】
前記光ファイバーが、前記病変を有する前記脈管壁上に配置された場合に、前記光を散乱する、請求項５に記載の組成物。
【請求項８】
前記光源が、複数の前記光ファイバーを含むマットである、請求項５に記載の組成物。
【請求項９】
請求項１または請求項２に記載の組成物であって、ここで、前記光感作性薬剤が、以下：インドシアニングリーン；メチレンブルー；ルテチウムテキサフィリン；トルイジンブルー；アミノレブリン酸（ＡＬＡ）および６００ｎｍ〜１１００ｎｍの範囲で光を吸収する他の薬剤からなる群より選択され；そしてここで、該薬剤が、送達系またはその生成物が光感作性薬剤を生じるプロドラッグとして送達されうる、組成物。
【請求項１０】
前記波長が、６００ｎｍ〜１１００ｎｍである、請求項１または請求項２に記載の組成物。
【請求項１１】
前記波長が、７００ｎｍよりも大きい、請求項１０に記載の組成物。
【請求項１２】
前記光が、前記光感作性薬剤による単一光子吸収モードを生じる、請求項１１に記載の組成物。
【請求項１３】
ＬＤＬまたはＶＬＤＬに結合した前記光感作性薬剤を含む複合体が、前記病変に局在する、請求項９に記載の組成物。
【請求項１４】
前記複合体が静脈内に投与される、請求項１３に記載の組成物。
【請求項１５】
前記標的組織抗原が、以下：腫瘍表面抗原；腫瘍内皮抗原；非腫瘍内皮抗原；および腫瘍脈管壁抗原からなる群より選択される、請求項２に記載の組成物。
【請求項１６】
前記リガンド−レセプター結合対が、以下：ビオチン−ストレプトアビジン；ケモカイン−ケモカインレセプター；増殖因子−増殖因子レセプター；および抗原−抗体からなる群より選択される、請求項２に記載の組成物。
【請求項１７】
前記光感作性薬剤送達系が、実質的に光感作性薬剤からなるリポソーム送達系を含む、請求項１または請求項２に記載の組成物。
【請求項１８】
前記光源が、組織浸透の深さを最大化しかつ熱発生および電力消費を最小化するためにパルス変調される、請求項１または請求項２に記載の組成物。
【請求項１９】
照射に使用される前記光の総流量が、３０ジュール／ｃｍ2と２５，０００ジュール／ｃｍ2の間である、請求項１または請求項２に記載の組成物。
【請求項２０】
照射に使用される前記光の総流量が、１００ジュール／ｃｍ2と２０，０００ジュール／ｃｍ2の間である、請求項１または請求項２に記載の組成物。
【請求項２１】
照射に使用される前記光の総流量が、５００ジュール／ｃｍ2と１０，０００ジュール／ｃｍ2の間である、請求項１または請求項２に記載の組成物。
【請求項２２】
哺乳動物被験体に対して外部にある光源を含み、該被験体における脈管系の病変の経皮的光力学治療のための装置であって、該光源が、以下：レーザーダイオード；発光ダイオード；エレクトロルミネセンス光源；白熱光源；冷陰極蛍光光源；有機ポリマー光源；および無機光源のうちの１つまたは複数からなる群より選択される、装置。
【請求項２３】
前記光源が、前記病変を有する脈管壁に対して長手の方向に前記光を向ける光ファイバーに結合した、少なくとも１つのレーザーダイオードである、請求項２２に記載の装置。
【請求項２４】
前記ダイオードが、発光ダイオードストリップであり、そしてここで、前記発光ダイオードストリップが、該病変の上にある皮膚上に配置され得る、請求項２３に記載の装置。
【手続補正書】
【提出日】平成18年12月27日(2006.12.27)
【手続補正１】
【補正対象書類名】明細書
【補正対象項目名】特許請求の範囲
【補正方法】変更
【補正の内容】
【特許請求の範囲】
【請求項１】  機器装着補装具と遠距離通信ステーションとを含む装置であって、前記機器装着補装具が情報伝達のために前記遠距離通信ステーションに接続され、前記遠距離通信ステーションが、ネットワークを利用して遠距離通信の打合せで音声による交信をしている間に前記機器装着補装具からの達成値を送信し、前記機器装着補装具がマイクロプロセサをベースとする制御器を備えている装置。
【請求項２】  前記遠距離通信ステーションが、遠隔地との交信と、前記機器装着補装具からのデータの送信とを同時に可能とするウェブサイトのチャットルームに接続されている、請求項１の装置。
【請求項３】  傷害を受けた関節のリハビリテーションを行う方法であって、遠距離通信チャンネル上で、患者と健康管理専門家との間のリアルタイムの通信と、遠距離通信ステーションにインターフェースされた機器装着補装具からの数値とを含む送信を交換することからなる方法。
【請求項４】  前記遠距離通信チャンネルが、インターネットの接続からなる、請求項３の方法。
【請求項５】  機器装着補装具からの出力を評価する方法であって、同等の機器装着補装具を使用する複数の患者の達成度からのデータを含むコンピュータ・データベースを作ることからなる方法。
【手続補正書】
【提出日】平成18年12月25日(2006.12.25)
【手続補正１】
【補正対象書類名】明細書
【補正対象項目名】特許請求の範囲
【補正方法】変更
【補正の内容】
【特許請求の範囲】
【請求項１】 基部部材と、
前記基部部材によって収容される超音波変換器と、
前記基部部材に固定された中間減衰部材であって、前記基部部材と前記減衰部材に接触する解剖学的構造との相対運動を吸収し、音響結合流体を受け入れるための内部キャビティを有する中間減衰部材とを含む、解剖学的構造を走査するための超音波プローブ。
【請求項２】 前記減衰部材が、使用中に解剖学的組織と接触するために柔軟な解剖学的構造接触表面を有する請求項１に記載のプローブ。
【請求項３】 前記基部部材が下面を含み、前記下面と前記内部キャビティが音響結合流体を受け入れるためのチャンバを形成する請求項１に記載のプローブ。
【請求項４】 前記基部部材が下面を含み、前記減衰部材が前記下面に並んで位置する請求項１に記載のプローブ。
【請求項５】 基部部材と、
前記基部部材によって収容される超音波変換器と、
音響結合流体を受け入れるための内部キャビティを有し、動的な解剖学的構造により生じる外力を減衰する可撓性中間バッファであって、前記バッファの一方の側面に開口部を有し、前記基部部材が取外し式に前記開口部に固定される可撓性中間バッファとを含む、解剖学的構造を走査しながらの手術の使用に適した超音波プローブ。
【請求項６】 前記バッファが弾性部材を含み、前記基部部材が前記弾性部材を受け入れるための外周溝を含み、前記溝が前記基部部材の少なくとも１つの側壁に沿って実質的に水平に延びる請求項８に記載のプローブ。
【請求項７】 基部部材と、
前記基部部材内に取り付けられた超音波変換器と、
動的な解剖学的構造により生じる外力を減衰する、前記基部部材に固定された結合部材であって、音響結合流体を受け入れるための内部キャビティと、前記動的な解剖学的構造に接触し、それに従う柔軟な下面とを有する結合部材とを含む、解剖学的構造を走査するための超音波プローブ。
【請求項８】 変換器ハウジングと、
前記変換器ハウジング内に取り付けられた超音波変換器と、
動的な解剖学的構造によって引き起こされた外力を減衰するために前記変換器ハウジングの外面に直接固定された可撓性緩衝パッドとを含む超音波プローブ。
【請求項９】 前記緩衝パッドが取外し式に前記変換器ハウジングに付加される請求項８に記載のプローブ。
【請求項１０】 超音波プローブと分析すべき解剖学的構造との間に位置し、超音波プローブとともに使用する中間部材であって、
動的な解剖学的構造と接触するための領域であって、解剖学的構造の輪郭に実質的に従い、動的な解剖学的構造により生じる外力を減衰する、可撓性領域と、
前記可撓性領域と連絡してプローブにしっかり付加されるよう適合されたプローブ取付けセグメントと、 音響媒体を受け入れるように適合された内部空隙を形成する前記可撓性領域と前記プローブ取付けセグメントとの間に位置するボディとを含む中間部材。
【手続補正書】
【提出日】平成19年1月12日(2007.1.12)
【手続補正１】
【補正対象書類名】明細書
【補正対象項目名】特許請求の範囲
【補正方法】変更
【補正の内容】
【特許請求の範囲】
【請求項１】
配列番号７０、配列番号７２および配列番号７３から成る群より選択されたアミノ酸配列をコードするＤＮＡ配列とハイブリッド形成する核酸配列を含む、多価不飽和脂肪酸（ＰＵＦＡ）を生産するためのポリケチドシンターゼ（ＰＫＳ）様システム由来のタンパク質またはその断片をコードする単離核酸分子。
【請求項２】
核酸配列が、配列番号６９、配列番号７１および配列番号７６から成る群より選択されたＤＮＡ配列とハイブリッド形成する、請求項１に記載の単離核酸分子。
【請求項３】
Ｓｃｈｉｚｏｃｈｙｔｒｉｕｍ由来である、請求項１に記載の単離核酸分子。
【請求項４】
配列番号６９、配列番号７１および配列番号７６から成る群より選択された核酸配列由来のオリゴヌクレオチドプローブによるハイブリッド形成により、ＰＵＦＡを生産するためのＰＫＳ様システムを含む供給源生物より構築したライブラリをスクリーニングすることにより入手可能である、請求項１に記載の単離核酸分子。
【請求項５】
配列番号６９、配列番号７１および配列番号７６から成る群より選択された核酸配列由来のプライマーを使用して、供給源生物由来のｍＲＮＡに対し逆転写酵素ポリメラーゼ連鎖反応（ＲＴ−ＰＣＲ）を行うことにより入手可能である、請求項１に記載の単離核酸分子。
【請求項６】
供給源生物がＳｃｈｉｚｏｃｈｙｔｒｉｕｍである、請求項４または請求項５に記載の単離核酸分子。
【請求項７】
ａ）配列番号７２と少なくとも６０％の配列相同性を有し、配列番号７２の生物学的活性を有するアミノ酸配列；および
ｂ）配列番号７３と少なくとも６０％の配列相同性を有し、配列番号７３の生物学的活性を有するアミノ酸配列
から成る群より選択されたアミノ酸配列をコードする核酸配列を含む、請求項１に記載の単離核酸分子。
【請求項８】
ａ）配列番号７２と少なくとも８０％の配列相同性を有し、配列番号７２の生物学的活性を有するアミノ酸配列；および
ｂ）配列番号７３と少なくとも８０％の配列相同性を有し、配列番号７３の生物学的活性を有するアミノ酸配列
から成る群より選択されたアミノ酸配列をコードする核酸配列を含む、請求項７に記載の単離核酸分子。
【請求項９】
ａ）配列番号７２と少なくとも９５％の配列相同性を有し、配列番号７２の生物学的活性を有するアミノ酸配列；および
ｂ）配列番号７３と少なくとも９５％の配列相同性を有し、配列番号７３の生物学的活性を有するアミノ酸配列
から成る群より選択されたアミノ酸配列をコードする核酸配列を含む、請求項７に記載の単離核酸分子。
【請求項１０】
配列番号７２および配列番号７３から成る群より選択されたアミノ酸配列をコードする核酸配列を含む、請求項１に記載の単離核酸分子。
【請求項１１】
配列番号６９、配列番号７１、配列番号７６、またはその相補物から成る群より選択された核酸配列のうち少なくとも５０個連続するヌクレオチドからなるオリゴヌクレオチドプローブまたはプライマー。
【請求項１２】
請求項１〜１０のいずれか一項に記載の核酸配列によりコードされる単離タンパク質。
【請求項１３】
プロモーターと機能的に連結している請求項１〜１０のいずれか一項に記載の単離核酸分子を含む、組換え核酸分子。
【請求項１４】
請求項１〜１０のいずれか一項に記載の単離核酸分子の少なくとも１つのコピーを含む、組換え細胞。
【請求項１５】
植物細胞である、請求項１４に記載の組換え細胞。
【請求項１６】
組換え種子細胞または組換え胚細胞である、請求項１５に記載の組換え植物細胞。
【請求項１７】
アブラナ（Ｂｒａｓｓｉｃａ）、ダイズ、ベニバナ、シロイヌナズナ（Ａｒａｂｉｄｏｐｓｉｓ）、トウモロコシおよびヒマワリから成る群より選択された植物由来である、請求項１５に記載の組換え細胞。
【請求項１８】
請求項１４〜１７のいずれか一項に記載の組換え細胞により生産された植物油。
【請求項１９】
微生物細胞である、請求項１４に記載の組換え細胞。
【請求項２０】
菌類細胞、藻類細胞、細菌細胞、およびシアノバクテリア細胞から成る群より選択される、請求項１９に記載の組換え微生物細胞。
【請求項２１】
長鎖多価不飽和脂肪酸が植物により生産される条件の下、請求項１４〜１７のいずれか一項に記載の組換え植物細胞の複数を有する植物を生育する工程を含む、植物細胞において長鎖多価不飽和脂肪酸を生産するための方法。
【請求項２２】
請求項１〜１０のいずれか一項に記載の核酸分子によりコードされるタンパク質を発現するトランスジェニック植物。
【請求項２３】
請求項２２に記載のトランスジェニック植物により生産される植物油。
【請求項２４】
長鎖多価不飽和脂肪酸が微生物細胞培養物により生産される条件の下、請求項１９または請求項２０に記載の組換え微生物細胞の複数を有する微生物細胞培養物を生育する工程を含む、微生物細胞培養物において長鎖多価不飽和脂肪酸を生産するための方法。
【請求項２５】
核酸配列を同定するために、ＰＵＦＡを生産するためのＳｃｈｉｚｏｃｈｙｔｒｉｕｍ  ＰＫＳ様システム由来のタンパク質またはその断片をコードする核酸配列により多価不飽和脂肪酸（ＰＵＦＡ）を生産する生物より構築した核酸ライブラリをスクリーニングする工程を含む、ＰＵＦＡを生産するためのＰＫＳ様システム由来のタンパク質またはその断片をコードする核酸配列を同定する方法。
【請求項２６】
生物が微生物である、請求項２５に記載の方法。
【請求項２７】
微生物がＴｈｒａｕｓｔｏｃｈｙｔｒｉｕｍまたはＳｃｈｉｚｏｃｈｙｔｒｉｕｍである、請求項２６に記載の方法。
【請求項２８】
Ｓｃｈｉｚｏｃｈｙｔｒｉｕｍ  ＰＫＳ様システム由来のタンパク質またはその断片をコードする核酸配列が、配列番号６９、配列番号７１および配列番号７６、またはそれらに由来するオリゴヌクレオチドプローブまたはプライマーから成る群より選択された核酸配列を含む、請求項２５に記載の方法。
【手続補正書】
【提出日】平成19年1月9日(2007.1.9)
【手続補正１】
【補正対象書類名】明細書
【補正対象項目名】特許請求の範囲
【補正方法】変更
【補正の内容】
【特許請求の範囲】
【請求項１】  哺乳動物ＩＬ−１７４ポリペプチドをコードする単離されたポリヌクレオチドまたは組換えポリヌクレオチド。
【請求項２】  前記哺乳動物ＩＬ−１７４ポリペプチドは、配列番号１４のアミノ酸１〜１４５を含む、請求項１に記載の単離されたポリヌクレオチドまたは組換えポリヌクレオチド。
【請求項３】  配列番号１３のヌクレオチド６７〜５０１を含む、請求項２に記載の単離されたポリヌクレオチドまたは組換えポリヌクレオチド。
【請求項４】  前記哺乳動物ＩＬ−１７４ポリペプチドは、配列番号１４からなる、請求項１に記載の単離されたポリヌクレオチドまたは組換えポリヌクレオチド。
【請求項５】  配列番号１３のヌクレオチド１９〜５０１を含む、請求項４に記載の単離されたポリヌクレオチドまたは組換えポリヌクレオチド。
【請求項６】  前記哺乳動物ＩＬ−１７４ポリペプチドは、配列番号１８のアミノ酸１〜１５３を含む、請求項１に記載の単離されたポリヌクレオチドまたは組換えポリヌクレオチド。
【請求項７】  配列番号１７のヌクレオチド４９〜５０７を含む、請求項６に記載の単離されたポリヌクレオチドまたは組換えポリヌクレオチド。
【請求項８】  前記哺乳動物ＩＬ−１７４ポリペプチドは、配列番号１８からなる、請求項１に記載の単離されたポリヌクレオチドまたは組換えポリヌクレオチド。
【請求項９】  配列番号１７のヌクレオチド１〜５０７を含む、請求項８に記載の単離されたポリヌクレオチドまたは組換えポリヌクレオチド。
【請求項１０】  配列番号１４または配列番号１８に由来する少なくとも１６個の連続するアミノ酸を含むポリペプチドをコードする、単離されたポリヌクレオチドまたは組換えポリヌクレオチド。
【請求項１１】  請求項１に記載のポリヌクレオチドを含む、発現ベクター。
【請求項１２】  請求項１２に記載の発現ベクターを含む単離された宿主細胞であって、ここで、該細胞は以下：
ａ）原核生物細胞；
ｂ）真核生物細胞；
ｃ）細菌細胞；
ｄ）酵母細胞；
ｅ）昆虫細胞；
ｆ）哺乳動物細胞；
ｇ）マウス細胞；
ｈ）霊長類細胞；または
ｉ）ヒト細胞、
である、細胞。
【請求項１３】  哺乳動物ＩＬ−１７４ポリペプチドを作製する方法であって、該ポリペプチドを発現するための条件下で、請求項１２に記載の単離された宿主細胞を培養する工程を包含する、方法。
【請求項１４】  実質的に純粋な哺乳動物ＩＬ−１７４ポリペプチドまたは単離された哺乳動物ＩＬ−１７４ポリペプチド。
【請求項１５】  配列番号１４のアミノ酸１〜１４５を含む、請求項１４に記載の実質的に純粋な哺乳動物ＩＬ−１７４ポリペプチドまたは単離された哺乳動物ＩＬ−１７４ポリペプチド。
【請求項１６】  配列番号１４からなる、請求項１４に記載の実質的に純粋な哺乳動物ＩＬ−１７４ポリペプチドまたは単離された哺乳動物ＩＬ−１７４ポリペプチド。
【請求項１７】  配列番号１８のアミノ酸１〜１５３を含む、請求項１４に記載の実質的に純粋な哺乳動物ＩＬ−１７４ポリペプチドまたは単離された哺乳動物ＩＬ−１７４ポリペプチド。
【請求項１８】  配列番号１８からなる、請求項１４に記載の実質的に純粋な哺乳動物ＩＬ−１７４ポリペプチドまたは単離された哺乳動物ＩＬ−１７４ポリペプチド。
【請求項１９】  請求項１４に記載の実質的に純粋な哺乳動物ＩＬ−１７４ポリペプチドまたは単離された哺乳動物ＩＬ−１７４ポリペプチドであって、以下：
ａ）滅菌組成物中にあるか；または
ｂ）グリコシル化されていないか；
ｃ）変性されているか；
ｄ）合成ポリペプチドであるか；
ｅ）固体基板に付着されるか；
ｆ）検出タグもしくは精製タグとの融合タンパク質であるか；
ｇ）天然の配列からの５倍以下の置換であるか；あるいは
ｈ）放射性標識されている、
ポリペプチド。
【請求項２０】  配列番号１４または配列番号１８に由来する少なくとも１６個の連続するアミノ酸を含む、実質的に純粋なポリペプチドまたは単離されたポリペプチド。
【請求項２１】  改変体哺乳動物ＩＬ−１７４ポリペプチドまたは天然の哺乳動物ＩＬ−１７４ポリペプチドである、実質的に純粋なポリペプチドまたは単離されたポリペプチドであって、該改変体ポリペプチドは、配列番号１４または配列番号１８において１〜５個の保存的アミノ酸置換を有することを除いて、配列番号１４のアミノ酸１〜１４５または配列番号１８のアミノ酸１〜１５３を含む、実質的に純粋なポリペプチドまたは単離されたポリペプチド。
【請求項２２】  哺乳動物ＩＬ−１７４ポリペプチドに対して選択的に結合する抗体に由来する抗原血号部分を含む結合化合物であって、該哺乳動物ＩＬ−１７４ポリペプチドは、配列番号１４のアミノ酸１〜１４５または配列番号１８のアミノ酸１〜１５３を含む、結合化合物。
【請求項２３】  前記抗体は、配列番号１４のアミノ酸１〜１４５を含むポリペプチドに選択的に結合する、請求項２２に記載の結合化合物。
【請求項２４】  前記抗体は、配列番号１４に由来する少なくとも１６個の連続するアミノ酸を含むポリペプチドに対して惹起されている、請求項２３に記載の結合化合物。
【請求項２５】  前記抗体は、配列番号１４のアミノ酸１〜１４５を含むポリペプチドに対して惹起されている、請求項２３に記載の結合化合物。
【請求項２６】  ポリクローナル抗体である、請求項２３に記載の結合組成物。
【請求項２７】  モノクローナル抗体である、請求項２３に記載の結合組成物。
【請求項２８】  約３μＭのＫDまたはより良いＫDで結合する、請求項２７に記載の結合組成物。
【請求項２９】  Ｆａｂフラグメントである、請求項２３に記載の結合組成物。
【請求項３０】  Ｆａｂ２フラグメントである、請求項２３に記載の結合組成物。
【請求項３１】  Ｆｖフラグメントである、請求項２３に記載の結合組成物。
【請求項３２】  請求項２３に記載の結合化合物であって、以下：
ｉ）ビーズもしくはプラスチック膜を含む固体基板に付着されるか；
ｉｉ）滅菌組成物中にあるか；または
ｉｉｉ）放射性標識もしくは蛍光標識を含むように、検出可能に標識される、
結合化合物。
【請求項３３】  抗原：抗体複合体を産生する方法であって、該方法は、配列番号１４のアミノ酸１〜１４５を含むポリペプチドを、該複合体を形成させる条件下で、請求項２３に記載の結合化合物に接触させる工程を包含する、方法。
【請求項３４】  前記結合化合物が、モノクローナル抗体であり、そして前記ポリペプチドが、生物学的サンプル内にある、請求項３３に記載の方法。
【請求項３５】  請求項２４に記載の結合化合物および配列番号１４のアミノ酸１〜１４５を含む、キット。